(57)【要約】【課題】デザイン性が高く、階段の設置スペースを余分に要することもなく、高強度を有する手摺取付構造を提案する。【解決手段】上部に笠木１が固定される手摺支柱２と、この手摺支柱２の下端に形成される取付部材３とよりなり、踏板４の側端部には手摺支柱２を側端側より挿入する開口を有する切欠孔４ａが形成され、手摺支柱２の下端部を踏板４の側端側より切欠孔４ａに挿入し、取付部材３を踏板４の下面に当接すると共に取付部材３を踏板４の下面側よりこれに固定してなることを特徴とする手摺取付構造である。【選択図】    図１
2004162518.tif 000002
【特許請求の範囲】
【請求項１】
上部に笠木が固定される手摺支柱と、この手摺支柱の下端に形成される取付部材とよりなり、
踏板の側端部には前記手摺支柱を側端側より挿入する開口を有する切欠孔が形成され、
前記手摺支柱の下端部を前記踏板の側端側より前記切欠孔に挿入し、
前記取付部材を前記踏板の下面に当接すると共に該取付部材を該踏板の下面側よりこれに固定してなる、
ことを特徴とする手摺取付構造。
【請求項２】
上部に笠木が固定される複数の手摺支柱と、この複数の手摺支柱の下端に形成される取付部材とよりなり、
踏板の側端部には前記各手摺支柱を側端側より挿入する開口を有する複数の切欠孔が前記複数の手摺支柱に対応して形成され、
前記各手摺支柱の下端部を前記踏板の側端側より前記各切欠孔に挿入し、
前記取付部材を前記踏板の下面に当接すると共に該取付部材を該踏板の下面側よりこれに固定してなる、
ことを特徴とする手摺取付構造。
【請求項３】
前記取付部材は前記踏板の下方より挿入される複数本の取付部材用ネジにより該踏板に固定されていることを特徴とする請求項１又は請求項２に記載の手摺取付構造。
【請求項４】
前記取付部材は前記手摺支柱と別体に形成され、接合手段により一体的に固定されることを特徴とする請求項１乃至請求項３のいずれか一項に記載の手摺取付構造。
【請求項５】
前記手摺支柱は、下方からの手摺支柱用ネジの挿入により前記取付部材の上面に固定されていることを特徴とする請求項４に記載の手摺取付構造。
【請求項６】
前記手摺支柱は、前記手摺支柱用ネジが挿入されるビスポケットを備えた中空断面のアルミ押出形材からなることを特徴とする請求項５に記載の手摺取付構造。
【請求項７】
前記手摺支柱に形成されたビスポケットの前記取付部材と接合する側の前記ビスポケットは機械加工によって拡大されていることを特徴とする請求項６に記載の手摺取付構造。
【請求項８】
前記取付部材はプレート形状を呈し、その下面が前記踏板の下面と面一となるように該踏板の下面は凹部に形成されていることを特徴とする請求項１乃至請求項７のいずれか一項に記載の手摺取付構造。
【請求項９】
前記笠木は前記手摺支柱よりも内側に位置することを特徴とする請求項１乃至請求項８のいずれか一項に記載の手摺取付構造。
【発明の詳細な説明】
【０００１】
【発明の属する技術分野】
本発明は、階段における手摺の取付構造に関し、特に踏板に対する手摺支柱の取付構造に関する。
【０００２】
【従来の技術】
従来の階段の手摺として、図１２に示すように、踏み板部３４の上面に支柱支持部材３３を固定し、この支柱支持部材３３のピン穴３３ａ及び手摺支柱３２の調整穴３２ａに高さ調整ピン３６を挿入することによって、手摺支柱３２を踏み板部３４上に立設させるものがある（例えば、特許文献１参照。）。
また、図１３に示すように、ササラ桁４０の外側に手摺支柱４２がボルト４８ａ及びナット４８ｂで留め付けられたものもある（例えば、特許文献２参照。）。
さらに、図１４に示すように、階段手摺用支柱５２の下端にボルト５８ａを固着突出せしめておくと共に、階段踏板５４の該階段手摺用支柱５２を固定すべき位置にナット５８ｂを固着せしめておき、階段踏板５４を位置固定して階段を構成した後、前記ナット５８ｂに前記ボルト５８ａを螺着して、階段手摺用支柱５２を固定するものがある（例えば、特許文献３参照。）。
【０００３】
【特許文献１】
特開２００２−１１５３８２号公報
（［００１０］−［００２２］、第１図−第４図）
【特許文献２】
特開平７−１９７６１６号公報
（［００２１］−［００２２］、第８図−第１０図）
【特許文献３】
特開平５−２０２５９５号公報
（[０００８]−[００１８]、第１図−第６図）
【０００４】
【発明が解決しようとする課題】
しかし、特許文献１に記載された手摺は、踏み板部３４の上に支柱支持部材３３が露出しているので見栄えが悪く、特にデザイン性が要求される建物の階段には採用できない。
また、特許文献２に記載された手摺は、ササラ桁４０の外側に手摺支柱４２が取り付けられ、さらにその外側にボルト４８ａが突出しているので、無駄な設置スペースが必要となって壁面ぎりぎりに階段を設置することができず、様々な建物の間取りに柔軟に対応できない。
さらに、特許文献３に記載された手摺は、階段手摺用支柱５２と階段踏板５４とを螺着する際、固定するボルト５８ａが一つの階段手摺用支柱５２に対して一個に限定されるため、その取付強度、特に階段手摺用支柱５２に対して曲げ方向の荷重、変形に対しての強度及び安定性に問題がある。
【０００５】
本発明は、かかる事情に鑑みてなされたものであって、デザイン性が高く、階段の設置スペースを余分に要することもなく、高強度を有する手摺取付構造を提案することを目的としている。
【０００６】
【課題を解決するための手段】
請求項１に係る発明は、上部に笠木が固定される手摺支柱と、この手摺支柱の下端に形成される取付部材とよりなり、踏板の側端部には前記手摺支柱を側端側より挿入する開口を有する切欠孔が形成され、前記手摺支柱の下端部を前記踏板の側端側より前記切欠孔に挿入し、前記取付部材を前記踏板の下面に当接すると共に該取付部材を該踏板の下面側よりこれに固定してなる、ことを特徴とする手摺取付構造である。
【０００７】
かかる手摺取付構造は、手摺支柱を踏板に固定するための取付部材が踏板の下面側から固定されるので、取付部材が踏板の上面に露出せず、見栄えがよい。また、手摺支柱が踏板の側端部の切欠孔より挿入され、踏板の側端面よりも内側に立設されるので、手摺支柱が階段の設置スペースを増やすこともなくなる。
【０００８】
請求項２に係る発明は、上部に笠木が固定される複数の手摺支柱と、この複数の手摺支柱の下端に形成される取付部材とよりなり、踏板の側端部には前記各手摺支柱を側端側より挿入する開口を有する複数の切欠孔が前記複数の手摺支柱に対応して形成され、前記各手摺支柱の下端部を前記踏板の側端側より前記各切欠孔に挿入し、前記取付部材を前記踏板の下面に当接すると共に該取付部材を該踏板の下面側よりこれに固定してなる、ことを特徴とする手摺取付構造である。
【０００９】
かかる手摺取付構造は、取付部材が踏板の上面に露出しないことから、見栄えがよい。また、手摺支柱が踏板の側端部の切欠孔より挿入され、踏板の側端面よりも内側に立設されるので、手摺支柱によって階段の設置スペースが増えることもない。さらに、一つの踏板に複数の手摺支柱が配置されるので、一つの踏板に一つの手摺支柱が配置される場合に比べて、隣り合う手摺支柱同士の間隔が狭くなり、その結果、階段を昇降する者に安心感を与えることができる。
【００１０】
請求項３に係る発明は、請求項１又は請求項２に記載の手摺取付構造において、前記取付部材は前記踏板の下方より挿入される複数本の取付部材用ネジにより該踏板に固定されていることを特徴とする。
【００１１】
かかる手摺取付構造は、踏板の下方より挿入される取付部材用ネジにより取付部材が踏板に固定されているので、取付部材用ネジが踏板の上面に露出せず、見栄えがよい。また、取付部材用ネジは複数本にて取付部材を踏板に固定するため、高強度である。
【００１２】
請求項４に係る発明は、請求項１乃至請求項３のいずれか一項に記載の手摺取付構造において、前記取付部材は前記手摺支柱と別体に形成され、接合手段により一体的に固定されることを特徴とする。
【００１３】
請求項５に係る発明は、請求項４に記載の手摺取付構造において、前記手摺支柱は、下方からの手摺支柱用ネジの挿入により前記取付部材の上面に固定されていることを特徴とする。
【００１４】
かかる手摺取付構造は、手摺支柱を取付部材に固定する手摺支柱用ネジが踏板の下方から挿入され、踏板の上面に露出しないので、見栄えがよい。さらに手摺支柱用ネジは複数本にて手摺支柱を取付部材に固定するため、高強度を有する。
【００１５】
請求項６に係る発明は、請求項５に記載の手摺取付構造において、前記手摺支柱は、前記手摺支柱用ネジが挿入されるビスポケットを備えた中空断面のアルミ押出形材からなることを特徴とする。
【００１６】
かかる手摺取付構造は、手摺支柱がアルミニウム合金製の中空押出形材からなるので、軽量かつ高強度で見栄えのよい手摺とすることができる。また、ビスポケットは手摺支柱と一体に押出成形されるので、手摺支柱用ネジを挿入するためのネジ孔を別途加工する手間やコストを省くことができる。
【００１７】
請求項７に係る発明は、請求項６に記載の手摺取付構造において、前記手摺支柱に形成されたビスポケットの前記取付部材と接合する側の前記ビスポケットは機械加工によって拡大されていることを特徴とする。
【００１８】
かかる手摺取付構造は、取付部材と接合する側のビスポケットを機械加工により拡大することで、より大きなネジで手摺支柱と取付部材とを接合することが出来る。以上より手摺支柱は取付部材に対して安定且つ強固に固定される。
【００１９】
請求項８に係る発明は、請求項１乃至請求項７のいずれか一項に記載の手摺取付構造において、前記取付部材はプレート形状を呈し、その下面が前記踏板の下面と面一となるように該踏板の下面は凹部に形成されていることを特徴とする。
【００２０】
かかる手摺取付構造は、取付部材がプレート形状で、しかもその下面が踏板の下面と面一であるので、踏板の下面からの見栄えもよい。
【００２１】
請求項９に係る発明は、請求項１乃至請求項８のいずれか一項に記載の手摺取付構造において、前記笠木は前記手摺支柱よりも内側に位置することを特徴とする。
【００２２】
かかる手摺取付構造は、笠木が手摺支柱よりも内側に位置するので、手摺全体が踏板の側端面よりも内側に設置される。したがって、手摺が階段の設置スペースを増やすことがなくなり、壁面ぎりぎりに階段を設置するなど、様々な建物の間取りに柔軟に対応できる。
【００２３】
【発明の実施の形態】
以下、添付図面を参照しつつ、本発明の実施の形態を詳細に説明する。なお、説明において、同一要素には同一の符号を用い、重複する説明は省略するものとする。
【００２４】
図１は本発明に係る手摺取付構造の第一実施形態の分解斜視図であり、図２は同組立斜視図である。また、図３は同手摺取付構造を踏板の側端面側（外側）から見た側面図であり、図４は図３のＡ−Ａ断面図、図５（ａ）〜（ｃ）はそれぞれ図３のＢ−Ｂ断面図、Ｃ−Ｃ断面図、Ｄ−Ｄ断面図である。これらの図に示すように、本実施形態の手摺取付構造は、笠木１と、この笠木１が上部に固定された手摺支柱２と、この手摺支柱２の下端に取り付けられた取付部材３と、この取付部材３が固定された踏板４とで構成されている。
【００２５】
笠木１は、階段を昇降する人が手で握るための略円筒形状のアルミ押出形材であり、階段の勾配と同じ勾配で各踏板４，４，…の上方に設置されている。笠木１の下面にはその軸線方向に沿って凹溝１ａが形成されており、また、後述する笠木取付部材５のネジ孔５ｆ，５ｆと対応する位置にネジ孔１ｂ，１ｂが形成されている。
【００２６】
手摺支柱２は、笠木１を支持するための略角筒形状のアルミ押出形材である。
手摺支柱２の中空部２ａは断面略正方形状であり、この中空部２ａの四隅部にそれぞれビスポケット２ｂが形成されている（図５（ｂ），（ｃ）参照）。
【００２７】
笠木１は、笠木取付部材５を介して手摺支柱２の上部に取り付けられている。
笠木取付部材５は、手摺支柱２の中空部２ａに上方から挿入される脚部５ａと、脚部５ａが挿入されたときに手摺支柱２の上面を塞ぐ塞ぎ板部５ｂと、塞ぎ板部５ｂの上面から内側（図４で紙面左側）に傾斜しつつ上方に立ち上がる板柱部５ｃと、板柱部５ｃの頂部に形成され、笠木１の凹溝１ａに嵌合する受け板部５ｄとで構成されるアルミ鋳物部材である。塞ぎ板部５ｂにはネジ孔５ｅ，５ｅが形成されており、笠木取付部材５の脚部５ａを上から手摺支柱２の中空部２ａに挿入した後、ネジ孔５ｅ，５ｅ及びビスポケット２ｂ，２ｂに上からネジ６，６を螺入することによって、笠木取付部材５が手摺支柱２の頂部に固定されている。また、笠木取付部材５の受け板部５ｄにはネジ孔５ｆ，５ｆが形成されており、笠木取付部材５の受け板部５ｄを笠木１の凹溝１ａに嵌合させた後、ネジ孔５ｆ，５ｆ及びネジ孔１ｂ，１ｂに下からネジ７，７を螺入することによって、笠木１が笠木取付部材５の受け板部５ｄに固定されている。
【００２８】
取付部材３は、手摺支柱２を踏板４に固定するためのプレート形状のアルミ部材であり、手摺支柱２のビスポケット２ｂ，２ｂ，…と対応する位置に四箇所のネジ孔３ａ，３ａ，…が形成され、外周部に六箇所のネジ孔３ｂ，３ｂ，…が形成されている。
【００２９】
踏板４は、ここでは木製板からなり、その側端部（図４の右端部）にはそれぞれ手摺支柱２の下端部及び取付部材３がちょうど納まる形状の切欠孔４ａ，４ｂが形成されている。切欠孔４ａ，４ｂはそれぞれ手摺支柱２の下端部、取付部材３を側端部側から挿入できる形状の開口を有し、互いに連続して形成されている。踏板４の切欠孔４ｂが形成された領域のうち取付部材３のネジ孔３ｂ，３ｂ，…に対応する位置には、ネジ９を下から螺入するためのネジ孔４ｃ，４ｃ，…が形成されている。
【００３０】
そして、取付部材３のネジ孔３ａ，３ａ，…に手摺支柱２のビスポケット２ｂ，２ｂ，…を位置合わせして、下からタッピンネジ８，８，…をねじ込むことにより取付部材３に手摺支柱２を固定した後、手摺支柱２の下端部及び取付部材３を踏板４の側端部の開口を通して踏板４の側端部側からそれぞれ切欠孔４ａ，４ｂに挿入し、下からネジ孔３ｂ，３ｂ，…及びネジ孔４ｃ，４ｃ，…にネジ９，９，…を螺入することによって、踏板４に取付部材３を固定する。なお、取付部材３に手摺支柱２を固定した後に取付部材３を踏板４に固定するのではなく、その逆の手順、つまり踏板４に取付部材３を固定した後に取付部材３に手摺支柱２を固定するようにしてもよい。
【００３１】
このような手摺取付構造によれば、手摺支柱２及び取付部材３がそれぞれ切欠孔４ａ，４ｂにぴったり納まって踏板４の側端部から全くはみ出ず、踏板４の側端面と面一になっているので、手摺支柱２や取付部材３が階段の設置面積を増やすことがなく、すっきりと見栄えもよい。また、取付部材３は踏板４の下部の切欠孔４ｂにぴったり納まって踏板４の上面に露出しないのですっきりと見栄えがよく、また取付部材３の下面と踏板４の下面とが面一となっているので踏板４の下方からの見栄えもよい。
【００３２】
また、取付部材３は、踏板４の下方から挿入される取付部材用ネジたるネジ９，９，…で踏板４に固定されているので、ネジ９，９，…が踏板４の上面に露出せず、見栄えがよい。また、取付部材用ネジたるネジ９，９，…は複数本（ここでは六本）で踏板４に取付部材３を固定するので、高強度な手摺取付構造を実現できる。
【００３３】
同様に、手摺支柱２は、取付部材３の下方から挿入される接合手段としての手摺支柱用ネジたるタッピンネジ８，８，…で取付部材３に固定されているので、タッピンネジ８，８，…が踏板４の上面に露出せず、見栄えがよい。また、手摺支柱用ネジたるタッピンネジ８，８，…は複数本（ここでは四本）で取付部材３に手摺支柱２を固定するので、高強度な手摺取付構造を実現できる。
【００３４】
また、笠木１は、手摺支柱２よりも内側（図４の左側）に位置するので、笠木１や手摺支柱２を含む手摺全体が踏板４の側端面よりも内側に設置されることになる。したがって、手摺が階段の設置スペースを増やすことがなくなり、壁面ぎりぎりに階段を設置するなど、様々な建物の間取りに柔軟に対応できる。
【００３５】
さらに、手摺支柱２はアルミニウム合金製の中空押出形材からなるので、軽量かつ高強度で見栄えのよい手摺とすることができる。また、ビスポケット２ｂは手摺支柱２と一体に押出成形されるので、手摺取付用ネジたるタッピンネジ８を挿入するためのネジ孔を別途加工する手間やコストを省くことができる。
【００３６】
なお、ここでは、手摺支柱２の下端部に作用する曲げ方向の荷重及び変形に対する強度や安定性を考慮して、手摺支柱用ネジたるタッピンネジ８の径をネジ６のそれよりも大きくしてある（図５（ｂ），（ｃ）参照）。そのため、ビスポケット２ｂは、手摺支柱２の全長にわたって等径となっているわけではなく、タッピンネジ８が押し込まれる部分が機械的に拡径されている。その加工方法としては、手摺支柱２の押出成形時にビスポケット２ｂの下孔をネジ６の径に合わせて押出成形しておき、その後、上端部（ネジ６が螺入される部分）についてはタップを立ててネジ切りし、下端部（タッピンネジ８によって取付部材３に接合される側の部分）については中グリ用工具などで機械的に拡径する。このようにして、取付部材３と接合される側のビスポケット２ｂを機械加工により拡大することで、より大きなネジで手摺支柱２と取付部材３とを接合することができるので、手摺支柱２は取付部材３に対して安定且つ強固に固定される。
【００３７】
図６は本発明に係る手摺取付構造の第二実施形態の分解斜視図であり、図７は同組立斜視図である。これらの図に示すように、本実施形態の手摺取付構造は、笠木１１と、この笠木１１が上部に固定された手摺支柱１２と、この手摺支柱１２の下端に形成された取付部材１３と、この取付部材１３が固定された踏板１４とで構成されている。
【００３８】
笠木１１は、下面に凹溝が形成されていない円筒形状を呈しており、材質はステンレス製である。また、後述する手摺支柱１２の受け板部１２ｂのネジ孔１２ｃ，１２ｃと対応する位置にはネジ孔１１ａ，１１ａが形成されている。
【００３９】
手摺支柱１２は、第一実施形態とは異なり、ステンレス製のフラットバー形状の部材である。手摺支柱１２の上部は内側に傾斜しつつ上方に立ち上がる板柱部１２ａとして形成されており、板柱部１２ａの頂部には、笠木１１の下面と同じ曲面状に形成され、笠木１１を受ける受け板部１２ｂが形成されている。
【００４０】
そして笠木１１は、その下面を受け板部１２ｂに当接させた状態で、ネジ孔１２ｂ，１２ｂ及びネジ孔１１ａ，１１ａに下からネジ１７，１７を螺入することにより、手摺支柱１２の上部に取り付けられている。
【００４１】
取付部材１３は、第一実施形態と略同様のプレート形状を呈しているが、材質はステンレス製である。そして、手摺支柱１２は、その下端において取付部材１３の上面に溶接接合されている。また、取付部材１３には、これを踏板１４に固定するためのネジ１９を螺入するためのネジ孔１３ａ，１３ａ，…が六箇所に形成されている。
【００４２】
踏板１４は、第一実施形態と同様の木製板からなり、その側端部にはそれぞれ手摺支柱１２の下端部及び取付部材１３がちょうど納まる形状の切欠孔１４ａ，１４ｂが形成されている。切欠孔１４ａ，１４ｂはそれぞれ手摺支柱１２の下端部、取付部材１３を側端部側から挿入できる形状の開口を有し、互いに連続して形成されている。切欠孔１４ａの幅は、手摺支柱１２の厚みに合わせて、第一実施形態の切欠孔４ａよりも狭くなっている。また、踏板１４の切欠孔１４ｂが形成された領域のうち取付部材１３のネジ孔１３ａ，１３ａ，…に対応する位置には、ネジ１９を下から螺入するためのネジ孔１４ｃ，１４ｃ，…が形成されている。
【００４３】
そして、予め溶接接合された手摺支柱１２及び取付部材１３を踏板１４の側端部の開口を通して踏板１４の側端部側からそれぞれ切欠孔１４ａ，１４ｂに挿入し、下からネジ孔１３ａ，１３ａ，…及びネジ孔１４ｃ，１４ｃ，…にネジ１９，１９，…を螺入することによって、踏板１４に取付部材１３及び手摺支柱１２を固定する。
【００４４】
このような手摺取付構造によれば、手摺支柱１２及び取付部材１３がそれぞれ切欠孔１４ａ，１４ｂにぴったり納まって踏板１４の側端部から全くはみ出ず、踏板１４の側端面と面一になっているので、手摺支柱１２や取付部材１３が階段の設置面積を増やすことがなく、すっきりと見栄えもよい。また、取付部材１３は踏板１４の下部の切欠孔１４ｂにぴったり納まって踏板１４の上面に露出しないのですっきりと見栄えがよく、また取付部材１３の下面と踏板１４の下面とが面一となっているので踏板１４の下方からの見栄えもよい。
【００４５】
また、取付部材１３は、踏板１４の下方から挿入される取付部材用ネジたるネジ１９，１９，…で踏板１４に固定されているので、ネジ１９，１９，…が踏板１４の上面に露出せず、見栄えがよい。また、取付部材用ネジたるネジ１９，１９，…は複数本（ここでは六本）で踏板１４に取付部材１３を固定するので、高強度な手摺取付構造を実現できる。
【００４６】
また、笠木１１は、手摺支柱１２よりも内側に位置するので、笠木１１や手摺支柱１２を含む手摺全体が踏板１４の側端面よりも内側に設置されることになる。したがって、手摺が階段の設置スペースを増やすことがなくなり、壁面ぎりぎりに階段を設置するなど、様々な建物の間取りに柔軟に対応できる。
【００４７】
図８は本発明に係る手摺取付構造の第三実施形態の斜視図であり、図９は分解斜視図である。また、図１０は同手摺取付構造を踏板の側端面側（外側）から見た側面図である。これらの図に示すように、本実施形態の手摺取付構造は、一つの踏板２４に二本の手摺支柱２２Ａ，２２Ｂが配置されてなるものであり、笠木１と、この笠木１が上部に固定された二本の手摺支柱２２Ａ，２２Ｂと、この手摺支柱２２Ａ，２２Ｂの下端に取り付けられた取付部材２３と、この取付部材２３が固定された踏板２４とで構成されている。また、笠木１は、笠木取付部材２５を介して手摺支柱２２の上部に取り付けられている。
【００４８】
手摺支柱２２Ａ，２２Ｂは、図９に示すように、笠木１を支持するための略角筒形状のアルミ押出形材であり、それぞれ中空部２２ａを備えている。中空部２２ａには、一対のビスポケット２２ｂが長手方向（押出方向）に沿って形成されている。また、手摺支柱２２Ａ，２２Ｂの上部には、長手方向と直交する方向にリベット孔２２ｃが穿設されている。なお、手摺支柱２２Ａ，２２Ｂは、その断面形状は同一であるが、その長さが異なる。すなわち、図１０に示すように、手摺支柱２２Ａ，２２Ｂの間隔をｄ、階段勾配をθとすると、下階側に配置される手摺支柱２２Ａの方が、上階側に配置される手摺支柱２２Ｂよりもｄ×tanθだけ短い。
【００４９】
取付部材２３は、図９に示すように、手摺支柱２２Ａ，２２Ｂを踏板２４に固定するためのプレート形状のアルミ部材であり、手摺支柱２２Ａ，２２Ｂのそれぞれのビスポケット２２ｂ，２２ｂに対応して合計四箇所にネジ孔２３ａが形成されており、さらに外周部に六箇所のネジ孔２３ｂ，２３ｂ，…が形成されている。
【００５０】
踏板２４は、ここでは木製板からなり、その側端部（図９の右端部）には手摺支柱２２Ａ，２２Ｂの下端部がちょうど納まる形状の切欠孔２４ａ，２４ａと取付部材２３がちょうど納まる形状の切欠孔２４ｂとが形成されている。切欠孔２４ａ，２４ｂはそれぞれ手摺支柱２２の下端部、取付部材２３を側端部側から挿入できる形状の開口を有し、互いに連続して形成されている。踏板２４の切欠孔２４ｂが形成された領域のうち取付部材２３のネジ孔２３ｂ，２３ｂ，…に対応する位置には、ネジ２９を下から螺入するためのネジ穴２４ｃ，２４ｃ，…が形成されている。
【００５１】
笠木取付部材２５は、図９に示すように、手摺支柱２２Ａ，２２Ｂの中空部２２ａに上方から挿入される脚部２５ａと、脚部２５ａが挿入されたときに手摺支柱２２の上面を塞ぐ塞ぎ板部２５ｂと、塞ぎ板部２５ｂの上面から内側に傾斜しつつ上方に立ち上がる柱部２５ｃと、柱部２５ｃの頂部に形成され、笠木１の凹溝１ａに嵌合する受け板部２５ｄとで構成されるアルミ鋳物部材である。脚部２５ａにはリベット孔２５ｅが形成されており、笠木取付部材２５の脚部２５ａを上から手摺支柱２２Ａ（あるいは手摺支柱２２Ｂ）の中空部２２ａに挿入した後、手摺支柱のリベット孔２２ｃおよび笠木取付部材２５のリベット孔２５ｅにリベット２６を打ち込んでかしめることによって、笠木取付部材２５が手摺支柱２２Ａ（あるいは手摺支柱２２Ｂ）の頂部に固定される。また、図１０に示すように、受け板部２５ｄは、その上面が水平面に対して階段勾配θで傾斜しており、その上部にネジ孔２５ｆ（図９参照）が形成されている。また、笠木１を受け板部２５ｄに固定するには、図９に示すように、受け板部２５ｄを笠木１の凹溝１ａに嵌合させた後、ネジ孔２５ｆ及びネジ孔２１ｂに下からネジ２７を螺入すればよい。
【００５２】
そして、図９に示すように、手摺支柱２２Ａのビスポケット２２ｂ，２２ｂおよび手摺支柱２２Ｂのビスポケット２２ｂ，２２ｂをそれぞれ対応する取付部材２３のネジ孔２３ａ，２３ａに位置合わせして、下から手摺支柱用ネジたるタッピンネジ２８をねじ込むことにより取付部材２３に手摺支柱２２Ａ，２２Ｂを固定した後、手摺支柱２２Ａ，２２Ｂの下端部及び取付部材２３を踏板２４の側端部の開口を通して踏板２４の側端部側からそれぞれ切欠孔２４ａ，２４ａ，２４ｂに挿入し、取付部材２３のネジ孔２３ｂ，２３ｂ，…および踏板２４のネジ孔２４ｃ，２４ｃ，…に取付部材用ネジたるネジ２９，２９，…を下から螺入して取付部材２３を踏板２４に固定することにより手摺取付構造が形成される。なお、踏板２４に取付部材２３を固定した後に取付部材２３に手摺支柱２２Ａ，２２Ｂを固定するようにしてもよい。
【００５３】
このような手摺取付構造によれば、手摺支柱２２Ａ，２２Ｂ及び取付部材２３がそれぞれ切欠孔２４ａ，２４ｂにぴったり納まって踏板２４の側端部から全くはみ出ず、踏板２４の側端面と面一になっているので、手摺支柱２２Ａ，２２Ｂや取付部材２３が階段の設置面積を増やすことがなく、すっきりと見栄えもよい。また、取付部材２３は踏板２４の下部の切欠孔２４ｂにぴったり納まって踏板２４の上面に露出しないのですっきりと見栄えがよく、また取付部材２３の下面と踏板２４の下面とが面一となっているので踏板２４の下方からの見栄えもよい。
【００５４】
さらに、一つの踏板２４に二本の手摺支柱２２Ａ，２２Ｂが配置されるので、一つの踏板に一つの手摺支柱が配置される場合（図２参照）に比べて、隣り合う手摺支柱同士の間隔が狭くなり、その結果、階段を昇降する者に安心感を与えることができる。
【００５５】
なお、本実施形態では、図８に示すように、一つの踏板２４に二本の手摺支柱２２Ａ，２２Ｂが配置された手摺取付構造を例示したが、これに限定されることはなく、図示は省略するが、一つの踏板に三本以上の手摺支柱が配置された手摺取付構造であってもよい。
【００５６】
また、図１１に示す笠木取付部材２５’を介して手摺支柱２２Ａ（あるいは手摺支柱２２Ｂ）に笠木１を取り付けてもよい。笠木取付部材２５’は、塞ぎ板部２５ｂの上面から立ち上がる柱部２５ｇの端面２５ｈが曲面になっている。なお、柱部２５ｇは、図９に示す笠木取付部材２５の柱部２５ｃと同様に、内側に傾斜しつつ上方に立ち上がっている。また、柱部２５ｇの上部は、階段傾斜方向と直交する方向に折り曲げられている。そして、笠木取付部材２５’の柱部２５ｇの端面２５ｈを平板状の受け板２５ｉの下面に当接させた状態で、受け板２５ｈ側からネジ２５ｊを螺入して柱部２５ｇと受け板２５ｉとを接合したうえで、この受け板２５ｉにネジ２５ｋを螺入して笠木１の凹溝１ａに固定することにより、笠木１が手摺支柱２２Ａに取り付けられる。
【００５７】
このように、笠木取付部材２５’の端面２５ｈを曲面にしておくと、階段の設置誤差等により階段勾配に誤差が生じた場合であっても、その勾配の変化に容易に対応することが可能となる。
【００５８】
以上、本発明に係る手摺取付構造の実施形態を説明してきたが、本発明はこれらに限定されるわけではなく、発明の趣旨に応じた適宜の変更実施が可能であることは言うまでもない。
【００５９】
【発明の効果】
以上のように、本発明に係る手摺取付構造によれば、取付部材が踏板の下面側から固定され、取付部材用ネジや手摺支柱用ネジも下方から挿入され、踏板の上面に露出しないようになっているので、見栄えがよい。また、手摺支柱が踏板の側端部の切欠孔より挿入され、踏板の側端面よりも内側に立設されるので、手摺支柱が階段の設置スペースを増やすこともない。さらに、取付部材が複数本の取付部材用ネジで踏板に固定されるとともに、手摺支柱が複数本の手摺支柱用ネジで取付部材に固定されるので、高強度の手摺取付構造を実現できる。
【図面の簡単な説明】
【図１】本発明に係る手摺取付構造の第一実施形態を表す分解斜視図である。
【図２】同組立斜視図である。
【図３】図１の手摺取付構造を踏板の側端面側（外側）から見た側面図である。
【図４】図３のＡ−Ａ断面図である。
【図５】（ａ）〜（ｃ）はそれぞれ図３のＢ−Ｂ断面図、Ｃ−Ｃ断面図、Ｄ−Ｄ断面図である。
【図６】本発明に係る手摺取付構造の第二実施形態を表す分解斜視図である。
【図７】同組立斜視図である。
【図８】本発明に係る手摺取付構造の第三実施形態を表す斜視図である。
【図９】同分解斜視図である。
【図１０】図８の手摺取付構造を踏板の側端面側（外側）から見た側面図である。
【図１１】手摺取付構造の変形例を表す側面図である。
【図１２】特許文献１に開示された従来の手摺構造の一例を表す斜視図である。
【図１３】特許文献２に開示された従来の手摺構造の一例を表す断面図である。
【図１４】特許文献３に開示された従来の手摺構造の一例を表す断面図である。
【符号の説明】
１    …  笠木
１ａ  …  凹溝
１ｂ  …  ネジ孔
２    …  手摺支柱
２ａ  …  中空部
２ｂ  …  ビスポケット
３    …  取付部材
３ａ，３ｂ  …  ネジ孔
４    …  踏板
４ａ，４ｂ  …  切欠孔
４ｃ  …  ネジ孔
５    …  笠木取付部材
５ａ  …  脚部
５ｂ  …  塞ぎ板部
５ｃ  …  板柱部
５ｄ  …  受け板部
５ｅ，５ｆ  …  ネジ孔
６，７，９    …  ネジ
８    …  タッピンネジ
１１    …  笠木
１１ａ  …  ネジ孔
１２    …  手摺支柱
１２ａ  …  板柱部
１２ｂ  …  受け板部
１２ｃ  …  ネジ孔
１３    …  取付部材
１３ａ  …  ネジ孔
１４    …  踏板
１４ａ，１４ｂ  …  切欠孔
１４ｃ  …  ネジ孔
１７，１９    …  ネジ
２２Ａ，２２Ｂ  …  手摺支柱
２２ａ  …  中空部
２２ｂ  …  ビスポケット
２３    …  取付部材
２３ａ，２３ｂ  …  ネジ孔
２４    …  踏板
２４ａ，２４ｂ  …  切欠孔
２４ｃ  …  ネジ孔
２５，２５’    …  笠木取付部材
２５ａ  …  脚部
２５ｂ  …  塞ぎ板部
２５ｃ  …  板柱部
２５ｄ  …  受け板部
２５ｅ  …  リベット孔
２５ｆ  …  ネジ孔
２８，２９    …  ネジ
【図１】
2004162518.tif 000003
【図２】
2004162518.tif 000004
【図３】
2004162518.tif 000005
【図４】
2004162518.tif 000006
【図５】
2004162518.tif 000007
【図６】
2004162518.tif 000008
【図７】
2004162518.tif 000009
【図８】
2004162518.tif 000010
【図９】
2004162518.tif 000011
【図１０】
2004162518.tif 000012
【図１１】
2004162518.tif 000013
【図１２】
2004162518.tif 000014
【図１３】
2004162518.tif 000015
【図１４】
2004162518.tif 000016